(57)【要約】【課題】コンパクト化および低コスト化が促進しやすい２段動作シーソースイッチ装置を提供すること。【解決手段】揺動可能な操作ノブ２と、駆動部３または４を介して操作ノブ２に押圧駆動される作動板５と、作動板５の両端部を支持する第１および第２のプッシュスイッチ１０ａ，１０ｂと、作動板５の中間部５ｃを支持する第３のプッシュスイッチ１０ｃとを備え、駆動部３を作動板５のうちプッシュスイッチ１０ｃよりもプッシュスイッチ１０ａに近い部分に当接させ、かつ駆動部４を作動板５のうちプッシュスイッチ１０ｃよりもプッシュスイッチ１０ｂに近い部分に当接させる。また、作動板５には、中間部５ｃと各延出部５ａ，５ｂとを連結する第１および第２の弾性部５ｄ，５ｅや、各延出部５ａ，５ｂから屈曲部５ｃ側へ突出する第１および第２の押圧力伝達部５ｆ，５ｇを形成しておく。【選択図】　　　図１
2004146069.tif 000002
【特許請求の範囲】
【請求項１】
揺動可能に支持された操作ノブと、この操作ノブの傾倒方向に対応して一対設けられた昇降可能な駆動部と、中間部の両側に第１の延出部と第２の延出部を設けてなり前記駆動部を介して前記操作ノブに押圧駆動される作動板と、この作動板の前記第１の延出部の先端部を支持する第１のプッシュスイッチと、前記作動板の前記第２の延出部の先端部を支持する第２のプッシュスイッチと、前記作動板の前記中間部を支持する第３のプッシュスイッチとを備え、
かつ前記作動板が、前記中間部と前記第１の延出部とを連結する第１の弾性部と、前記第１の延出部から前記中間部側へ突設されて、前記操作ノブの押圧力で該第１の延出部が前記第１のプッシュスイッチを支点として傾倒されるときに該中間部を押圧駆動する第１の押圧力伝達部と、前記中間部と前記第２の延出部とを連結する第２の弾性部と、前記第２の延出部から前記中間部側へ突設されて、前記操作ノブの押圧力で該第２の延出部が前記第２のプッシュスイッチを支点として傾倒されるときに該中間部を押圧駆動する第２の押圧力伝達部とを有しており、
一方の前記駆動部が、前記第１の延出部のうち前記第３のプッシュスイッチよりも前記第１のプッシュスイッチに近い部分に前記操作ノブからの押圧力を付与し、該駆動部が所定量下降する過程で前記第１の延出部が傾倒して前記第１のプッシュスイッチを作動させ、該駆動部がさらに下降する過程で前記第１の押圧力伝達部が前記中間部を介して前記第３のプッシュスイッチを作動させると共に、
他方の前記駆動部が、前記第２の延出部のうち前記第３のプッシュスイッチよりも前記第２のプッシュスイッチに近い部分に前記操作ノブからの押圧力を付与し、該駆動部が所定量下降する過程で前記第２の延出部が傾倒して前記第２のプッシュスイッチを作動させ、該駆動部がさらに下降する過程で前記第２の押圧力伝達部が前記中間部を介して前記第３のプッシュスイッチを作動させるように構成したことを特徴とする２段動作シーソースイッチ装置。
【請求項２】
請求項１の記載において、前記作動板が平面視略く字形であって、前記第３のプッシュスイッチを前記第１および第２のプッシュスイッチを結ぶ直線からずらして配置したことを特徴とする２段動作シーソースイッチ装置。
【請求項３】
請求項１の記載において、前記作動板が前記中間部と前記第１および第２の延出部とを平面視一直線上に並べた形状であって、前記第１、第２および第３のプッシュスイッチを一直線上に配置したことを特徴とする２段動作シーソースイッチ装置。
【請求項４】
請求項１〜３のいずれかの記載において、前記各プッシュスイッチが、固定接点と、この固定接点に接離する可動接点を設けて座屈変形可能なクリックゴムとを有し、このクリックゴムの頂部を前記作動板に係合させたことを特徴とする２段動作シーソースイッチ装置。
【発明の詳細な説明】
【０００１】
【発明の属する技術分野】
本発明は、自動車のパワーウィンドウ用スイッチなどとして好適で、揺動可能に支持された操作ノブの傾倒角度に応じて１段目および２段目の電気信号を出力する２段動作シーソースイッチ装置に関する。
【０００２】
【従来の技術】
この種の２段動作シーソースイッチ装置としては、従来、揺動可能に支持された操作ノブと、駆動部を介して操作ノブからの押圧力が付与される一対の作動板と、各作動板を支持する２個１組、計４個のプッシュスイッチとを備え、操作ノブの傾倒方向に応じていずれか一方の作動板が押圧駆動されて傾倒し、その傾倒した作動板によってプッシュスイッチが作動されるという構成のものが提案されている（例えば、特許文献１参照）。かかる従来のシーソースイッチ装置は、操作ノブの揺動中心線までの距離が異なる位置に２個１組のプッシュスイッチを配設して、両プッシュスイッチを結ぶ直線を該揺動中心線に対して斜めに交差させると共に、平面視略平行四辺形の作動板の相対向する隅部２箇所を両プッシュスイッチにて支持することにより、操作ノブの傾倒角度に応じてこれら２個のプッシュスイッチが順次作動されるようになっている。
【０００３】
すなわち、操作者が操作ノブを傾倒操作して片側を下降させると、その下方に位置する駆動部が押し込まれて下降していき、対応する作動板が操作ノブの揺動中心線に近いプッシュスイッチを支点として傾倒するため、該揺動中心線から遠いプッシュスイッチが該作動板に押し込まれてオン動作する。この状態で操作ノブをさらに傾倒させて駆動部をさらに下降させると、今度は、該揺動中心線から遠いオン状態のプッシュスイッチを支点として作動板が傾倒するため、該揺動中心線に近いプッシュスイッチが該作動板に押し込まれてオン動作する。また、任意のプッシュスイッチをオン動作させた後、操作ノブに対する操作力を取り除くと、作動板に押し込まれていた該プッシュスイッチの復帰力によって該作動板が押し上げられるため、操作ノブは中立位置へ押し戻され、該プッシュスイッチはオフ状態に復帰する。なお、この従来提案では各プッシュスイッチを、基板上に配設した固定接点と、この固定接点に接離する可動接点を設けて座屈変形可能なクリックゴムとによって構成しており、このクリックゴムの頂部で作動板を支持し、操作時にクリックゴムが作動板に押し込まれて座屈変形するとクリック感を生起して可動接点と固定接点とが接触するようになっている。
【０００４】
かかる従来の２段動作シーソースイッチ装置は、４個のプッシュスイッチを比較的コンパクトに配設することができて操作感触も良好なため、自動車のパワーウィンドウ用スイッチなどとして好適である。その場合、一方の作動板によって作動される２個のプッシュスイッチが窓を開ける電気信号を出力し、他方の作動板によって作動される残り２個のプッシュスイッチが窓を閉める電気信号を出力することとし、かつ、操作ノブの揺動中心線から遠いプッシュスイッチはオン動作している間だけ開信号または閉信号を出力し、該揺動中心線に近いプッシュスイッチはオン動作すると窓を全開または全閉させる信号を出力するように設定しておけばよい。これにより、操作者は、操作ノブを浅い角度で傾倒させることによって窓を任意量だけ開閉するマニュアル操作が行え、操作ノブを深い角度で傾倒させることによって窓を自動的に全開全閉するオート操作が行える。
【０００５】
【特許文献１】
特開平８−１１１１４２号公報（第３〜５頁）
【０００６】
【発明が解決しようとする課題】
上述した従来の２段動作シーソースイッチ装置は、２個１組のプッシュスイッチを結ぶ直線を操作ノブの揺動中心線に対して斜めに交差させる等の工夫を施すことにより、ある程度のコンパクト化を実現してはいるが、さらなるコンパクト化や部品点数削減による低コスト化の要望に応えることは困難であった。
【０００７】
本発明は、このような従来技術の実情に鑑みてなされたもので、その目的は、コンパクト化および低コスト化が促進しやすい２段動作シーソースイッチ装置を提供することにある。
【０００８】
【課題を解決するための手段】
上述した目的を達成するため、本発明の２段動作シーソースイッチ装置では、揺動可能に支持された操作ノブと、この操作ノブの傾倒方向に対応して一対設けられた昇降可能な駆動部と、中間部の両側に第１の延出部と第２の延出部を設けてなり前記駆動部を介して前記操作ノブに押圧駆動される作動板と、この作動板の前記第１の延出部の先端部を支持する第１のプッシュスイッチと、前記作動板の前記第２の延出部の先端部を支持する第２のプッシュスイッチと、前記作動板の前記中間部を支持する第３のプッシュスイッチとを備え、かつ前記作動板が、前記中間部と前記第１の延出部とを連結する第１の弾性部と、前記第１の延出部から前記中間部側へ突設されて、前記操作ノブの押圧力で該第１の延出部が前記第１のプッシュスイッチを支点として傾倒されるときに該中間部を押圧駆動する第１の押圧力伝達部と、前記中間部と前記第２の延出部とを連結する第２の弾性部と、前記第２の延出部から前記中間部側へ突設されて、前記操作ノブの押圧力で該第２の延出部が前記第２のプッシュスイッチを支点として傾倒されるときに該中間部を押圧駆動する第２の押圧力伝達部とを有しており、一方の前記駆動部が、前記第１の延出部のうち前記第３のプッシュスイッチよりも前記第１のプッシュスイッチに近い部分に前記操作ノブからの押圧力を付与し、該駆動部が所定量下降する過程で前記第１の延出部が傾倒して前記第１のプッシュスイッチを作動させ、該駆動部がさらに下降する過程で前記第１の押圧力伝達部が前記中間部を介して前記第３のプッシュスイッチを作動させると共に、他方の前記駆動部が、前記第２の延出部のうち前記第３のプッシュスイッチよりも前記第２のプッシュスイッチに近い部分に前記操作ノブからの押圧力を付与し、該駆動部が所定量下降する過程で前記第２の延出部が傾倒して前記第２のプッシュスイッチを作動させ、該駆動部がさらに下降する過程で前記第２の押圧力伝達部が前記中間部を介して前記第３のプッシュスイッチを作動させるように構成した。
【０００９】
このように構成されるシーソースイッチ装置は、操作ノブを傾倒操作するといずれか一方の駆動部が下降して、作動板の一端または他端に近い部分に操作ノブからの押圧力を付与する。例えば、操作ノブの傾倒操作によって、一方の駆動部が作動板のうち第１の延出部の第３のプッシュスイッチよりも第１のプッシュスイッチに近い部分に操作ノブからの押圧力を付与する場合、作動板の第１の延出部はまず第３のプッシュスイッチを支点として傾倒するため第１のプッシュスイッチがオン動作し、この状態で操作ノブをさらに傾倒させると、今度はオン状態の第１のプッシュスイッチを支点として作動板が傾倒するため第３のプッシュスイッチがオン動作する。また、操作ノブを逆向きに傾倒操作して、他方の駆動部が作動板のうちの第２の延出部の第３のプッシュスイッチよりも第２のプッシュスイッチに近い部分に操作ノブからの押圧力を付与する場合にも同様に、まず第３のプッシュスイッチ側を支点として作動板の第２の延出部が傾倒して第２のプッシュスイッチがオン動作し、この状態で操作ノブをさらに傾倒させると第２のプッシュスイッチを支点として作動板が傾倒して第３のプッシュスイッチがオン動作する。したがって、共通の作動板に押圧駆動される３個のプッシュスイッチによって、第１のプッシュスイッチだけがオン状態のときに出力される信号と、第１および第３のプッシュスイッチが共にオン状態のときに出力される信号と、第２のプッシュスイッチだけがオン状態のときに出力される信号と、第２および第３のプッシュスイッチが共にオン状態のときに出力される信号という計４種類の電気信号を取り出すことができる。つまり、操作ノブの傾倒方向および傾倒角度に応じた４種類の電気信号が出力可能なシーソースイッチ装置を、少ない部品点数で実現することができ、プッシュスイッチおよび作動板の数が減らせるためコンパクト化も図りやすくなる。
【００１０】
しかも、操作ノブからの押圧力によって第１の延出部が第３のプッシュスイッチ側を支点として傾倒されるときには、第１の弾性部が弾性変形するので屈曲部には操作ノブからの押圧力が伝達されにくく、それゆえ第１のプッシュスイッチを作動させるときに第３のプッシュスイッチを誤作動させてしまう心配はない。また、最初にオン動作させた第１のプッシュスイッチを支点として第１の延出部が傾倒されるときには、第１の押圧力伝達部によって屈曲部を確実に押し込んで第３のプッシュスイッチを作動させることができると共に、第２の弾性部が弾性変形するので第２の延出部の先端部には操作ノブからの押圧力が伝達されにくく、それゆえ第２のプッシュスイッチを誤作動させてしまう心配はない。なお、この一連の動作は第２の延出部を傾倒させるときにも基本的に同等である。
【００１１】
かかる構成において、作動板が平面視略く字形であって、第３のプッシュスイッチを第１および第２のプッシュスイッチを結ぶ直線からずらして配置した場合には、三角形状の狭い領域内に作動板や各プッシュスイッチを配設することができてコンパクト化に有利であると共に、作動板の第１の延出部と第２の延出部との間に操作ノブの底面と対向するスペースが容易に確保できるため、第３のプッシュスイッチの側方に該スペースに臨出する照光体を設けることによって、照光タイプの２段動作シーソースイッチ装置を無理なく実現することができる。
【００１２】
あるいは、かかる構成において、作動板が前記中間部と前記第１および第２の延出部とを平面視一直線上に並べた形状であって、第１、第２および第３のプッシュスイッチを一直線上に配置した場合には、幅狭な領域内に作動板や各プッシュスイッチを配設することができるため、幅狭な２段動作シーソースイッチ装置が実現できる。
【００１３】
また、各プッシュスイッチが、固定接点と、この固定接点に接離する可動接点を設けて座屈変形可能なクリックゴムとを有し、このクリックゴムの頂部を作動板に係合させる構成とすれば、明瞭なクリック感と十分な復帰力が得られる安価なプッシュスイッチとなり、組立性も良好となるため好ましい。
【００１４】
【発明の実施の形態】
発明の実施の形態について図面を参照して説明すると、図１は本発明の一実施形態例に係る２段動作シーソースイッチ装置の斜視図、図２は該スイッチ装置の側面図、図３は該スイッチ装置の平面図、図４は該スイッチ装置に用いた作動板を示す図であり、図４（ａ）は斜視図、図４（ｂ）は平面図、図４（ｃ）は側面図である。また、図５〜図７は該スイッチ装置の動作説明図であり、図５は非操作時の状態、図６は１段目のスイッチオン状態、図７は２段目のスイッチオン状態をそれぞれ示している。
【００１５】
これらの図に示す２段動作シーソースイッチ装置は、自動車のパワーウィンドウ用スイッチとして使用されるものである。このシーソースイッチ装置は、外殻を形成するケーシング１と、このケーシング１上で図示せぬ支軸に揺動可能に支持された操作ノブ２と、この操作ノブ２の傾倒方向に対応して一対設けられた昇降可能な駆動部３，４と、駆動部３または駆動部４を介して操作ノブ２に押圧駆動される平面視略く字形の作動板５と、クリックゴム６ａ〜６ｃが突設されているゴムシート６と、このゴムシート６を載置している基板７とによって主に構成されている。
【００１６】
図２に示すように、各クリックゴム６ａ〜６ｃの天井面には可動接点８が設けられており、基板７上には各可動接点８と対向する位置に固定接点９が設けられている。各可動接点８は、保持体であるクリックゴムが座屈変形すると下方の固定接点９と接触するので、対応する可動接点８と固定接点９とによってプッシュスイッチの接点部が構成されている。つまり、クリックゴム６ａを保持体とする第１のプッシュスイッチ１０ａと、クリックゴム６ｂを保持体とする第２のプッシュスイッチ１０ｂと、クリックゴム６ｃを保持体とする第３のプッシュスイッチ１０ｃとが、基板７上に配置されて、各クリックゴム６ａ〜６ｃの頂部が、作動板５の３箇所に設けられた係合孔１１内に挿入されて係合している。
【００１７】
この作動板５は、一体成形品ではあるが一枚板ではなく、中間部５ｃとその片側に延出する第１の延出部５ａとが、半円筒形状の肉薄な第１の弾性部１５ｄによって弾性的に連結されていると共に、中間部５ｃとその他側に延出する第２の延出部５ｂとが、半円筒形状の肉薄な第２の弾性部１５ｅによって弾性的に連結されている。また、この作動板５には、第１の延出部５ａの上面から中間部５ｃ側へ突設され中間部５ｃの上面と接する下面を備えた第１の押圧力伝達部５ｆと、第２の延出部５ｂの上面から中間部５ｃ側へ突設され中間部５ｃの上面と接する下面を備えた第２の押圧力伝達部５ｇとが形成されている。そして、第１の延出部５ａの先端部が第１のプッシュスイッチ１０ａの頂部と係合して支持され、かつ第２の延出部５ｂの先端部が第２のプッシュスイッチ１０ｂの頂部と係合して支持され、かつ中間部５ｃが第３のプッシュスイッチ１０ｃの頂部と係合して支持されている。なお、作動板５は平面視略く字形であり、第３のプッシュスイッチ１０ｃは、第１および第２のプッシュスイッチ１０ａ，１０ｂを結ぶ直線からずらした位置に配置されている。また、基板７上には第３のプッシュスイッチ１０ｃの側方に、ゴムシート６の開口部１２内に露出する照光体（ＬＥＤ）１３が実装してあり、この照光体１３は作動板５の第１の延出部５ａと第２の延出部５ｂとの間に臨出している。
【００１８】
操作ノブ２は、前記支軸の軸心である揺動中心線Ｌを中心に揺動可能であり、図２の時計回り方向と反時計回り方向へ回転操作されて傾倒する。そして、操作ノブ２が時計回り方向へ回転操作されて傾倒すると一方の駆動部３が押し込まれて下降し、操作ノブ２が反時計回り方向へ回転操作されて傾倒すると他方の駆動部４が押し込まれて下降するようになっている。ここで、一方の駆動部３の下端は、作動板５のうちの第１の延出部５ａの上面に当接されているが、この当接位置は第３のプッシュスイッチ１０ｃよりも第１のプッシュスイッチ１０ａに近い。他方の駆動部４の下端は、作動板５のうちの第２の延出部５ｂの上面に当接しているが、この当接位置は第３のプッシュスイッチ１０ｃよりも第２のプッシュスイッチ１０ｂに近い。したがって、操作ノブ２が傾倒操作されて駆動部３が下降すると、作動板５のうち第１の延出部５ａの上面の前記当接位置に操作ノブ２からの押圧力が付与され、また、操作ノブ２が逆向きに傾倒操作されて駆動部４が下降すると、作動板５のうち第２の延出部５ｂの上面の前記当接位置に操作ノブ２からの押圧力が付与されることになる。
【００１９】
次に、このように構成される２段動作シーソースイッチ装置の動作を図５〜図７を用いて説明する。操作ノブ２に対して図５の時計回りに回転する傾倒操作が行われると、駆動部３が操作ノブ２に押し込まれて下降するので、作動板５の第１の延出部５ａが、モーメント力の差により第３のプッシュスイッチ１０ｃを支点として図６に示すように傾倒していく。このとき、第１の弾性部５ｄが弾性変形するので、屈曲部５ｃには操作ノブ２の押圧力は伝達されにくい。そして、駆動部３が所定量下降するとクリックゴム６ａが第１の延出部５ａの先端部に押し込まれて座屈変形し、第１のプッシュスイッチ１０ａがオン動作する。また、こうして第１のプッシュスイッチ１０ａをオン動作させた後、操作ノブ２に対する操作力を取り除けば、座屈変形していたクリックゴム６ａが自身の弾性で元の形状に戻るので、第１の延出部５ａや駆動部３が押し上げられて操作ノブ２は図５に示す中立位置に復帰し、第１のプッシュスイッチ１０ａはオフ状態となる。本実施形態例においては、第１のプッシュスイッチ１０ａがオン状態のとき、窓を開ける電気信号が出力されるようにしてあるので、第１のプッシュスイッチ１０ａをオン／オフさせることによって操作者は任意量だけ窓を開けるマニュアル操作が行える。
【００２０】
また、第１のプッシュスイッチ１０ａをオン動作させた状態で操作ノブ２をさらに傾倒させると、駆動部３がさらに下降するため、第１の延出部５ａはオン状態の第１のプッシュスイッチ１０ａを支点として横臥するように傾倒していき、その過程で第１の押圧力伝達部５ｆが屈曲部５ｃを上から押し込んでいく。それゆえ、操作ノブ２を所定角度以上傾倒させることによって、図７に示すように、第１の押圧力伝達部５ｆが屈曲部５ｃを介してクリックゴム６ｃを座屈変形させ、第３のプッシュスイッチ１０ｃがオン動作する。このとき、第２の弾性部５ｅが弾性変形するので、第２の延出部５ｂには操作ノブ２の押圧力が伝達されにくい。本実施形態例においては、第１および第３のプッシュスイッチ１０ａ，１０ｃが共にオン状態になると、窓を全開させる電気信号が出力されるようにしてあるので、操作者は操作ノブ２を図５の時計回り方向へ大きく回転させて第３のプッシュスイッチ１０ｃをオン動作させることにより、自動的に窓を全開させるオート操作が行える。なお、第３のプッシュスイッチ１０ｃをオン動作させた後に操作ノブ２に対する操作力を取り除けば、座屈変形していたクリックゴム６ａ，６ｃが自身の弾性で元の形状に戻るので、作動板５や駆動部３が押し上げられて操作ノブ２は図５に示す中立位置に復帰し、第１および第３のプッシュスイッチ１０ａ，１０ｃは共にオフ状態となる。
【００２１】
操作ノブ２に対して図５の反時計回りに回転する傾倒操作が行われた場合の動作も基本的に同等であり、操作ノブ２に押し込まれた駆動部４が下降する過程で、第２の弾性部５ｅを弾性変形させながら第２の延出部５ｂが第３のプッシュスイッチ１０ｃを支点として傾倒していき、該延出部５ｂの先端部によって第２のプッシュスイッチ１０ｂがオン動作されるので、操作者は任意量だけ窓を閉めるマニュアル操作が行える。また、この状態で操作ノブ２をさらに傾倒させると、第２のプッシュスイッチ１０ｂを支点として第２の延出部５ｂが横臥するように傾倒していき、第１の弾性部５ｄを弾性変形させながら第２の押圧力伝達部５ｇが屈曲部５ｃを上から押し込んでいくので、第３のプッシュスイッチ１０ｃがオン動作され、これにより操作者は自動的に窓を全閉させるオート操作が行える。
【００２２】
上述したように本実施形態例に係る２段動作シーソースイッチ装置は、共通の作動板５に押圧駆動される３個のプッシュスイッチ１０ａ〜１０ｃによって、第１のプッシュスイッチ１０ａだけがオン状態のときに出力される信号と、第１および第３のプッシュスイッチ１０ａ，１０ｃが共にオン状態のときに出力される信号と、第２のプッシュスイッチ１０ｂだけがオン状態のときに出力される信号と、第２および第３のプッシュスイッチ１０ｂ，１０ｃが共にオン状態のときに出力される信号という計４種類の電気信号を取り出すことができる。つまり、操作ノブ２の傾倒方向および傾倒角度に応じた４種類の電気信号が出力可能なシーソースイッチ装置を、少ない部品点数で実現することができるため、低コスト化が図りやすい。しかも、作動板５が平面視略く字形で、３個のプッシュスイッチ１０ａ〜１０ｃを狭い領域内に配設できるため、コンパクト化も図りやすい。また、第３のプッシュスイッチ１０ｃの側方に、作動板５の第１の延出部５ａと第２の延出部５ｂとの間のスペースに臨出する照光体１３が設けてあるので、コンパクト化を損なうことなく照光タイプの２段動作シーソースイッチ装置が無理なく実現されている。
【００２３】
また、この２段動作シーソースイッチ装置は一枚板でない作動板５を用いているので、操作ノブ２からの押圧力によって第１の延出部５ａや第２の延出部５ｂが第３のプッシュスイッチ１０ｃを支点として傾倒されるときに、第１の弾性部５ｄや第２の弾性部５ｅが弾性変形して屈曲部５ｃに操作ノブ２からの押圧力が伝達されにくくなっており、それゆえ第１のプッシュスイッチ１０ａや第２のプッシュスイッチ１０ｂを作動させるときに第３のプッシュスイッチ１０ｃを誤作動させてしまう心配がない。また、オン動作させた第１のプッシュスイッチ１０ａや第２のプッシュスイッチ１０ｂを支点として第１の延出部５ａや第２の延出部５ｂが傾倒されるときには、第１の押圧力伝達部５ｆや第２の押圧力伝達部５ｇによって屈曲部５ｃを確実に押し込んで第３のプッシュスイッチ１０ｃを作動させることができると共に、弾性部５ｅまたは５ｄが弾性変形するため、残余のプッシュスイッチ１０ｂまたは１０ａには操作ノブ２からの押圧力が伝達されにくくて誤作動の心配がない。
【００２４】
なお、本実施形態例のようにプッシュスイッチ１０ａ〜１０ｃとして、可動接点８を設けたクリックゴム６ａ〜６ｃを採用し、各クリックゴム６ａ〜６ｃの頂部を作動板５の係合孔１１に係合させる構成とすれば、明瞭なクリック感と十分な復帰力が得られる安価なプッシュスイッチとなり、組立性も良好となるため好ましい。
【００２５】
図８は本発明の他の実施形態例に係る作動板を示す図であり、図８（ａ）は平面図、図８（ｂ）は側面図である。同図に示す作動板１５は、中間部１５ｃと第１および第２の延出部１５ａ，１５ｂとが平面視一直線上に並べてある点が、前記実施形態例と大きく異なる。ただし、この作動板１５にも、中間部１５ｃと第１の延出部１５ａとを連結する第１の弾性部１５ｄや、中間部１５ｃと第２の延出部１５ｂとを連結する第２の弾性部１５ｅや、第１の延出部１５ａから中間部１５ｃ側へ突設された第１の押圧力伝達部１５ｆや、第２の延出部１５ｂから中間部１５ｃ側へ突設された第２の押圧力伝達部１５ｇは形成されているので、操作ノブ２の押圧力で第１の延出部１５ａが第１のプッシュスイッチ１０ａを支点として傾倒されるときに第１の押圧力伝達部１５ｆが中間部１５ｃを押圧駆動し、また、操作ノブ２の押圧力で第２の延出部１５ｂが第２のプッシュスイッチ１０ｂを支点として傾倒されるときに第２の押圧力伝達部１５ｇが中間部１５ｃを押圧駆動する。
【００２６】
このような作動板１５を採用すると、第１、第２および第３のプッシュスイッチ１０ａ，１０ｂ，１０ｃを一直線上に配置することができるので、幅狭な領域内に作動板１５や各プッシュスイッチ１０ａ〜１０ｃを配設することができる。してがって、幅狭でコンパクトな２段動作シーソースイッチ装置が容易に実現できる。
【００２７】
なお、前記実施形態においては、プッシュスイッチがクリックゴムを保持体とする例を説明したが、プッシュスイッチはこれに限定されるものではなく、クリック感触を付与できるものであれば公知に属する任意のプッシュスイッチを用いることができる。
【００２８】
【発明の効果】
本発明は、以上説明したような形態で実施され、以下に記載されるような効果を奏する。
【００２９】
共通の作動板に押圧駆動される３個のプッシュスイッチによって４種類の電気信号を取り出すことができるので、操作ノブの傾倒方向および傾倒角度に応じた４種類の電気信号が出力可能な２段動作シーソースイッチ装置を少ない部品点数で実現することができて低コスト化に有利となり、プッシュスイッチおよび作動板の数が減らせるためコンパクト化も促進しやすくなる。また、一枚板でない作動板を用いており、その弾性部の弾性変形によってプッシュスイッチの誤作動が防止できるため、高い信頼性が確保されている。
【００３０】
また、作動板の第１および第２の延出部と中間部を平面視略く字形に並べた場合には、両延出部の間に臨出する照光体を第３のプッシュスイッチの側方に設けることによって、照光タイプの２段動作シーソースイッチ装置が無理なく実現できる。
【００３１】
また、作動板の第１および第２の延出部と中間部を平面視一直線上に並べた場合には、幅狭な領域内に作動板や各プッシュスイッチを配設することができるので、幅狭でコンパクトな２段動作シーソースイッチ装置が無理なく実現できる。
【図面の簡単な説明】
【図１】本発明の一実施形態例に係る２段動作シーソースイッチ装置を示す斜視図である。
【図２】図１のシーソースイッチ装置の側面図である。
【図３】図１のシーソースイッチ装置の平面図である。
【図４】図１のシーソースイッチ装置に用いた作動板を示す図である。
【図５】図１のシーソースイッチ装置の非操作時の状態を示す動作説明図である。
【図６】図１のシーソースイッチ装置の１段目のスイッチオン状態を示す動作説明図である。
【図７】図１のシーソースイッチ装置の２段目のスイッチオン状態を示す動作説明図である。
【図８】本発明の他の実施形態例に係る作動板を示す図である。
【符号の説明】
１　ケーシング
２　操作ノブ
３，４　駆動部
５，１５　作動板
５ａ，１５ａ　第１の延出部
５ｂ，１５ｂ　第２の延出部
５ｃ　中間部
５ｄ，１５ｄ　第１の弾性部
５ｅ，１５ｅ　第２の弾性部
５ｆ，１５ｆ　第１の押圧力伝達部
５ｇ，１５ｇ　第２の押圧力伝達部
６ａ〜６ｃ　クリックゴム
７　基板
８　可動接点
９　固定接点
１０ａ　第１のプッシュスイッチ
１０ｂ　第２のプッシュスイッチ
１０ｃ　第３のプッシュスイッチ
１１　係合孔
１５ｃ　中間部
【図１】
2004146069.tif 000003
【図２】
2004146069.tif 000004
【図３】
2004146069.tif 000005
【図４】
2004146069.tif 000006
【図５】
2004146069.tif 000007
【図６】
2004146069.tif 000008
【図７】
2004146069.tif 000009
【図８】
2004146069.tif 000010